(57)【要約】【課題】回路規模の増大を抑制しつつ、配置されるキーの数を拡張可能なキー入力装置を提供する。【解決手段】キースイッチＳＷ１〜ＳＷ６は、それぞれ割当てられたキーＫＥＹ１〜ＫＥＹ６の入力に応じて、対応の抵抗Ｒの一端と抵抗ストリング部ＳＴＲ１の終端とを短絡する。選択指令ＳＥＬが「Ｐ１」である期間においては、キーＫＥＹ１〜ＫＥＹ６が有効となり、制御部２は、キーＫＥＹ１〜ＫＥＹ６のうちいずれのキーが入力されたかを判定できる。また、選択指令ＳＥＬが「Ｐ２」である期間においては、キーＫＥＹ７〜ＫＥＹ１２が有効となり、制御部２は、キーＫＥＹ７〜ＫＥＹ１２のうちいずれのキーが入力されたかを判定できる。【選択図】図３
2007323295.tif 000002
【特許請求の範囲】
【請求項１】
複数のキーの中から入力されるキーを判定するキー入力装置であって、
制御部と、
入力されるキーに応じた抵抗値を生じるように構成され、それぞれの一端が接続ノードにおいて互いに接続された複数の抵抗ストリング部と、
電源電位と前記接続ノードとの間に介挿される制限抵抗と、
前記複数の抵抗ストリング部と接地電位との間に介挿され、前記制御部からの選択指令に応じて、前記複数の抵抗ストリング部のうち１つを接地電位と電気的に接続する選択部と、
前記接続ノードに生じる電圧値をデジタル信号として前記制御部へ出力するためのアナログ／デジタル変換器とを備え、
前記複数の抵抗ストリング部の各々は、互いに重複することなく所定数のキーを割当てられ、かつ、
直列に接続された複数の抵抗と、
各抵抗と対応付けて配置され、割当てられたキーの入力に応じて、対応の前記抵抗の一端と当該抵抗ストリング部の他端とを短絡する複数のキースイッチとからなり、
前記制御部は、前記接続ノードに生じる電圧値と、前記選択部へ与える前記選択指令とに基づいて、入力されたキーを判定する、キー入力装置。
【請求項２】
複数のキーの中から入力されるキーを判定するキー入力装置であって、
制御部と、
入力されるキーに応じた抵抗値を生じるように構成され、それぞれの一端が接続ノードにおいて互いに接続された複数の抵抗ストリング部と、
前記複数の抵抗ストリング部と接続され、前記制御部からの選択指令に応じて、前記複数の抵抗ストリング部のうち１つを第１の電位と第２の電位との間に電気的に接続する選択部とを備え、
前記複数の抵抗ストリング部の各々は、互いに重複することなく所定数のキーを割当てられ、
前記制御部は、前記接続ノードに生じる電圧値と、前記選択部へ与える前記選択指令とに基づいて、入力されたキーを判定する、キー入力装置。
【請求項３】
前記複数の抵抗ストリング部の各々は、
直列に接続された複数の抵抗と、
各抵抗と対応付けて配置され、割当てられたキーの入力に応じて、対応の前記抵抗の一端と当該抵抗ストリング部の他端とを短絡する複数のキースイッチとからなる、請求項２に記載のキー入力装置。
【請求項４】
前記キー入力装置は、前記接続ノードに生じる電圧値をデジタル信号として前記制御部へ出力するためのアナログ／デジタル変換器をさらに備え、
前記制御部は、前記アナログ／デジタル変換器からの前記デジタル信号に基づいて、入力されたキーを判定する、請求項２または３に記載のキー入力装置。
【請求項５】
前記制御部は、前記第１の電位と前記第２の電位との間に電気的に接続される前記抵抗ストリング部が前記複数の抵抗ストリング部の中から逐次的に選択されるように、前記選択指令を出力する、請求項２〜４のいずれか１項に記載のキー入力装置。
【請求項６】
前記制御部は、前記複数のキーのうち入力され得るキーが割当てられた前記抵抗ストリング部のみが前記第１の電位と前記第２の電位との間に電気的に接続されるように、前記選択指令を出力する、請求項２〜５のいずれか１項に記載のキー入力装置。
【発明の詳細な説明】
【技術分野】
【０００１】
この発明は複数のキーの中から入力されるキーを判定するキー入力装置に関し、特に多数のキー入力を可能にするための技術に関する。
【背景技術】
【０００２】
一般的に、ユーザの操作に応じて作動する電気製品は、操作指令を受付けるための入力装置を備えている。多くの電気製品では、そのパネル面において、作動状態などを表示するための表示部とともに、ユーザによる操作（たとえば、押圧など）が可能に構成されたキー（たとえば、操作ボタンやジョグダイヤルなど）が配置される。特に、多機能化された電気製品では、その機能に応じた数のキーが配置される。そのため、電気製品のパネル面などには、数１０〜１００個程度のキーが配置されることも珍しくない。
【０００３】
一方、入力されたキーに応じた動作を実行させるためには、このような多数のキーのうち、いずれのキーが入力されたかを判定する必要がある。入力されるキーを判定する構成の一つとして、複数の抵抗が直列接続された抵抗ストリングを用いて、入力されたキーに応じた電圧値を生成し、生成された電圧値に基づいてキーを判定する構成が知られている。たとえば、実開平３−９０３６号公報（特許文献１）には、マイクロプロセッサシステムの複数のスイッチ情報を入力する回路が開示されている。この回路によれば、２個以上のロックスイッチと、直列接続された抵抗器とを有し、直列接続抵抗器がロックスイッチにより分割されるように構成される。そして、各抵抗器の抵抗値を適切に選択することで、独立に入力されるスイッチ情報が判定される。
【特許文献１】実開平３−９０３６号公報
【発明の開示】
【発明が解決しようとする課題】
【０００４】
実開平３−９０３６号公報（特許文献１）に開示されるような構成によれば、入力されるキーに応じた処理をマイクロプロセッサシステム（ＣＰＵ）で実行させるためには、アナログ／デジタル変換器を用いて、生成される電圧値をデジタル信号に変換する必要がある。
【０００５】
したがって、入力されるキー単位で、アナログ／デジタル変換器の分解能より大きな電圧変化を生じるように、抵抗ストリングを構成しなければならない。一方、電源電位を必要以上に高くすることは困難であるので、必然的に１つの抵抗ストリングに割当てられるキーの数は制限されることになる。
【０００６】
そこで、配置されるキーの数が増大するにつれて抵抗ストリングの数も増大させる必要があるが、同時に、対応するアナログ／デジタル変換器の数も増大させなければならない。しかしながら、アナログ／デジタル変換器の回路規模は比較的大きいので、配置されるキーの数の増大、すなわちアナログ／デジタル変換器の数の増大に伴って、回路規模の大型化および消費電力の増加という問題が生じる。
【０００７】
そこで、この発明は、かかる問題を解決するためになされたものであり、その目的は、回路規模の増大を抑制しつつ、配置されるキーの数を拡張可能なキー入力装置を提供することである。
【課題を解決するための手段】
【０００８】
この発明によれば、複数のキーの中から入力されるキーを判定するキー入力装置である。この発明に係るキー入力装置は、制御部と、入力されるキーに応じた抵抗値を生じるように構成され、それぞれの一端が接続ノードにおいて互いに接続された複数の抵抗ストリング部と、電源電位と接続ノードとの間に介挿される制限抵抗と、複数の抵抗ストリング部と接地電位との間に介挿され、制御部からの選択指令に応じて、複数の抵抗ストリング部のうち１つを接地電位と電気的に接続する選択部と、接続ノードに生じる電圧値をデジタル信号として制御部へ出力するためのアナログ／デジタル変換器とを備える。そして、複数の抵抗ストリング部の各々は、互いに重複することなく所定数のキーを割当てられ、かつ、直列に接続された複数の抵抗と、各抵抗と対応付けて配置され、割当てられたキーの入力に応じて、対応の抵抗の一端と当該抵抗ストリング部の他端とを短絡する複数のキースイッチとからなる。さらに、制御部は、接続ノードに生じる電圧値と、選択部へ与える選択指令とに基づいて、入力されたキーを判定する。
【０００９】
この発明によれば、入力されるキーに応じた抵抗値を生じるように構成された複数の抵抗ストリング部の一端がそれぞれ電源電位と電気的に接続され（接続ノード）、選択部が制御部からの選択指令に応じて、複数の抵抗ストリング部のうち１つを接地電位と電気的に接続する。これにより、選択指令に応じた１つの抵抗ストリング部が電源電位と接地電位との間に電気的に接続され、当該抵抗ストリング部に入力されたキーに応じた電圧値が接続ノードに生じる。したがって、制御部は、接続ノードに生じる電圧値と、選択部へ与える選択指令とに基づいて入力されたキーを判定できる。このように、複数のキーを配置するために、多数の抵抗ストリング部を含んでキー入力装置が構成される場合であっても、アナログ／デジタル変換器は、抵抗ストリング部が共通に接続される接続ノードの電圧値を検出するための１個だけで済む。
【００１０】
また、この発明によれば、複数のキーの中から入力されるキーを判定するキー入力装置である。この発明に係るキー入力装置は、制御部と、入力されるキーに応じた抵抗値を生じるように構成され、それぞれの一端が接続ノードにおいて互いに接続された複数の抵抗ストリング部と、複数の抵抗ストリング部と接続され、制御部からの選択指令に応じて、複数の抵抗ストリング部のうち１つを第１の電位と第２の電位との間に電気的に接続する選択部とを備える。そして、複数の抵抗ストリング部の各々は、互いに重複することなく所定数のキーを割当てられ、制御部は、接続ノードに生じる電圧値と、選択部へ与える選択指令とに基づいて、入力されたキーを判定する。
【００１１】
好ましくは、複数の抵抗ストリング部の各々は、直列に接続された複数の抵抗と、各抵抗と対応付けて配置され、割当てられたキーの入力に応じて、対応の抵抗の一端と当該抵抗ストリング部の他端とを短絡する複数のキースイッチとからなる。
【００１２】
さらに好ましくは、キー入力装置は、接続ノードに生じる電圧値をデジタル信号として制御部へ出力するためのアナログ／デジタル変換器をさらに備え、制御部は、アナログ／デジタル変換器からのデジタル信号に基づいて、入力されたキーを判定する。
【００１３】
また、好ましくは、制御部は、第１の電位と第２の電位との間に電気的に接続される抵抗ストリング部が複数の抵抗ストリング部の中から逐次的に選択されるように、選択指令を出力する。
【００１４】
また、好ましくは、制御部は、複数のキーのうち入力され得るキーが割当てられた抵抗ストリング部のみが第１の電位と第２の電位との間に電気的に接続されるように、選択指令を出力する。
【発明の効果】
【００１５】
この発明によれば、回路規模の増大を抑制しつつ、配置されるキーの数を拡張可能なキー入力装置を実現できる。
【発明を実施するための最良の形態】
【００１６】
この発明の実施の形態について、図面を参照しながら詳細に説明する。なお、図中の同一または相当部分については、同一符号を付してその説明は繰返さない。
【００１７】
図１は、本発明の実施の形態に従うキー入力装置１００の概略構成図である。
図１を参照して、本発明の実施の形態に従うキー入力装置１００は、複数のキーＫＥＹ１，ＫＥＹ２，・・・，ＫＥＹｎの中から入力されるキーを判定し、図示しない制御装置などにその判定結果を出力する。そして、キー入力装置１００は、キー電圧生成部８と、アナログ／デジタル変換器（ＡＤＣ）４と、選択部６と、制御部２とからなる。なお、本実施の形態においては、一例として、制御部２、アナログ／デジタル変換器４および選択部６が同一のマイクロコンピュータ１０により実現される場合を例示する。
【００１８】
キー電圧生成部８は、複数のキーＫＥＹ１，ＫＥＹ２，・・・，ＫＥＹｎを入力可能に構成され、入力されるキーに応じたキー電圧をアナログ／デジタル変換器４へ出力する。具体的には、キー電圧生成部８は、それぞれの一端が接続ノードにおいて互いに接続された複数の抵抗ストリング部を含み、複数の抵抗ストリング部の各々は、入力されるキーに応じた抵抗値を生じるように構成される。そして、抵抗ストリング部の各々は、互いに重複しないように、複数のキーＫＥＹ１，ＫＥＹ２，・・・，ＫＥＹｎのうち、所定数のキーが割当てられる。なお、以下の説明において、「キー電圧」とは、接地電位を基準とした電圧値を意味する。
【００１９】
アナログ／デジタル変換器４は、キー電圧生成部８により生成されたキー電圧の電圧値（アナログ値）をデジタル信号に変換し、キー電圧値ＫＥＹ＿ＶＡＬ（デジット値）を制御部２へ出力する。
【００２０】
選択部６は、キー電圧生成部８と接続され、制御部２からの選択指令ＳＥＬに応じて、キー電圧生成部８に含まれる複数の抵抗ストリング部のうち１つを電源電位ＶＤＤと接地電位との間に電気的に接続する。
【００２１】
制御部２は、アナログ／デジタル変換器４から受けたキー電圧値ＫＥＹ＿ＶＡＬと、選択部６へ与える選択指令ＳＥＬとに基づいて、入力されたキーを判定する。具体的には、制御部２は、選択部６へ与える選択指令ＳＥＬに基づいて、電源電位ＶＤＤと接地電位との間に電気的に接続される抵抗ストリング部を判断し、判断した抵抗ストリング部に割当てられたキーの中から、アナログ／デジタル変換器４から受けたキー電圧値ＫＥＹ＿ＶＡＬに相当するキーを判定する。
【００２２】
図２は、本発明の実施の形態に従うキー入力装置１００を備えるディスク駆動装置２００の一例を示す外観図である。
【００２３】
図２を参照して、ＤＶＤ（Digital Versatile Disc）プレイヤー、ＤＶＤレコーダーおよびＣＤ（Compact Disc）プレイヤーなどのディスク駆動装置２００のパネル面には、媒体ディスクを装入するためのディスクトレイ２０２の一端が開閉可能に形成される。さらに、ディスク駆動装置２００のパネル面には、一例として、電源キー２０４、ディスクトレイ開閉キー２０６および再生操作キー群２０８が配置される。なお、再生操作キー群２０８は、巻戻しキー２０８ａ、再生キー２０８ｂ、停止キー２０８ｃおよび早送りキー２０８ｄなどからなる。
【００２４】
キー電圧生成部（図１）は、このような各キーの入力操作（たとえば、押圧など）を受けて作動するように配置されており、入力されるキーに応じたキー電圧を生成する。そして、制御部２（図１）は、電源キー２０４が入力されたと判定すると、ディスク駆動装置２００の電源供給部（図示しない）などへ起動指令を発する。同様に、制御部２は、ディスクトレイ開閉キー２０６および再生操作キー群２０８のそれぞれについても、キー入力を判定すると、各キーに応じた指令を発する。
【００２５】
図３は、本発明の実施の形態に従うキー入力装置１００の要部を示す図である。
図３を参照して、キー電圧生成部８は、キーＫＥＹ１〜ＫＥＹ６を割当てられた抵抗ストリング部ＳＴＲ１、およびキーＫＥＹ７〜ＫＥＹ１２を割当てられた抵抗ストリング部ＳＴＲ２を含む。そして、抵抗ストリング部ＳＴＲ１およびＳＴＲ２は、それぞれの一端が接続ノードＶＮにおいて互いに接続され、さらに、接続ノードＶＮは、制限抵抗Ｒｇを介して、電源電位ＶＤＤと接続される。また、抵抗ストリング部ＳＴＲ１およびＳＴＲ２の他端は、それぞれ選択部６に接続される。
【００２６】
抵抗ストリング部ＳＴＲ１は、直列に接続された５つの抵抗Ｒと、各抵抗Ｒと対応付けて配置された６つのキースイッチＳＷ１〜ＳＷ６とからなる。キースイッチＳＷ１〜ＳＷ６は、それぞれ割当てられたキーＫＥＹ１〜ＫＥＹ６の入力に応じて、対応の抵抗Ｒの一端と抵抗ストリング部ＳＴＲ１の終端（選択部６側の端）とを短絡する。
【００２７】
同様に、抵抗ストリング部ＳＴＲ２は、直列に接続された５つの抵抗Ｒと、各抵抗Ｒと対応付けて配置された６つのキースイッチＳＷ７〜ＳＷ１２とからなる。キースイッチＳＷ７〜ＳＷ１２は、それぞれ割当てられたキーＫＥＹ７〜ＫＥＹ１２の入力に応じて、対応の抵抗Ｒの一端と抵抗ストリング部ＳＴＲ２の終端（選択部６側の端）とを短絡する。
【００２８】
選択部６は、制御部２（図１）からの選択指令ＳＥＬに応じて、抵抗ストリング部ＳＴＲ１およびＳＴＲ２のうちいずれか一方を接地電位ＧＮＤと電気的に接続する。すなわち、選択部６は、選択指令ＳＥＬに応じて、抵抗ストリング部ＳＴＲ１およびＳＴＲ２のうちいずれか一方を電源電位ＶＤＤと接地電位ＧＮＤとの間に電気的に接続する。具体的には、選択部６は、選択指令ＳＥＬに応じて、接地電位ＧＮＤに接続されるポートＰＧを、抵抗ストリング部ＳＴＲ１の他端に接続されるポートＰ１、および抵抗ストリング部ＳＴＲ２の他端に接続されるポートＰ２のいずれか一方と電気的に接続する。
【００２９】
そして、選択指令ＳＥＬに応じて選択された抵抗ストリング部ＳＴＲ１またはＳＴＲ２において、いずれかのキーが入力されると、当該入力されたキーに対応するキースイッチを介して、電源電位ＶＤＤから接地電位ＧＮＤに貫通電流が流れる。この貫通電流が流れる経路に応じて、接続ノードＶＮに生じるキー電圧が変化することになる。
【００３０】
図４は、入力されるキーと接続ノードＶＮに生じるキー電圧との関係を示す図である。
図３および図４を参照して、いずれのキーも入力されていない場合には、電源電位ＶＤＤから接地電位ＧＮＤへの電流経路が形成されないので、貫通電流は流れない。そのため、接続ノードＶＮには、キー電圧として電源電位ＶＤＤが生じる。
【００３１】
次に、キーＫＥＹ１もしくはＫＥＹ７が入力されると、対応するキースイッチＳＷ１もしくはＳＷ７を介して、接続ノードＶＮが接地電位ＧＮＤと電気的に接続される。そのため、接続ノードＶＮには、キー電圧として接地電位ＧＮＤが生じる。
【００３２】
また、キーＫＥＹ２もしくはＫＥＹ８が入力されると、対応するキースイッチＳＷ２もしくはＳＷ８を介して、電源電位ＶＤＤから制限抵抗Ｒｇおよび電源電位側の１つの抵抗Ｒを通過する貫通電流が生じる。そのため、接続ノードＶＮには、キー電圧として、電源電位ＶＤＤを制限抵抗Ｒｇと抵抗Ｒとの比で分圧した電圧が生じる。
【００３３】
以下同様にして、キーＫＥＹ３もしくはＫＥＹ９、キーＫＥＹ４もしくはＫＥＹ１０、キーＫＥＹ５もしくはＫＥＹ１１、ならびにキーＫＥＹ６もしくはＫＥＹ１２が入力されると、電源電位ＶＤＤをそれぞれ制限抵抗Ｒｇと２つの抵抗Ｒとの比で分圧した電圧、制限抵抗Ｒｇと３つの抵抗Ｒとの比で分圧した電圧、制限抵抗Ｒｇと４つの抵抗Ｒとの比で分圧した電圧、および制限抵抗Ｒｇと５つの抵抗Ｒとの比で分圧した電圧が、それぞれ接続ノードＶＮに生じる。
【００３４】
このように、制御部２は、接続ノードＶＮに生じるキー電圧に応じて、入力されるキーを判定する。さらに、本発明の実施の形態においては、キーＫＥＹ１〜ＫＥＹ１２のいずれに対しても入力の有無を判定するために、制御部２は、電源電位ＶＤＤと接地電位ＧＮＤとの間に電気的に接続される抵抗ストリング部を逐次的に切換える。
【００３５】
図５は、制御部２から出力される選択指令ＳＥＬの時間波形を示す図である。
図５を参照して、制御部２は、電源電位ＶＤＤと接地電位ＧＮＤとの間に接続される抵抗ストリング部が所定周期で交互に切替わるように、選択指令ＳＥＬを出力する。すなわち、制御部２は、所定周期毎に選択指令ＳＥＬを、ポートＰＧとポートＰ１とを接続するための指令「Ｐ１」と、ポートＰＧとポートＰ２とを接続するための指令「Ｐ２」との間で切換える。
【００３６】
選択指令ＳＥＬが「Ｐ１」である期間（期間α）においては、キーＫＥＹ１〜ＫＥＹ６が有効となり、制御部２は、キーＫＥＹ１〜ＫＥＹ６のうちいずれのキーが入力されたかを判定できる。そして、選択指令ＳＥＬが「Ｐ２」である期間（期間β）においては、キーＫＥＹ７〜ＫＥＹ１２が有効となり、制御部２は、キーＫＥＹ７〜ＫＥＹ１２のうちいずれのキーが入力されたかを判定できる。
【００３７】
このように、制御部２が抵抗ストリング部を逐次的に選択するための選択指令ＳＥＬを生成することで、１つのアナログ／デジタル変換器４により、多数のキーに対する入力の有無を判定することができる。
【００３８】
図６は、入力されるキーの判定過程を説明するための図である。
図６（ａ）は、選択指令ＳＥＬの時間的変化を示す。
【００３９】
図６（ｂ）は、キー電圧値ＫＥＹ＿ＶＡＬの時間的変化を示す。
図６（ａ）を参照して、上述したように、制御部２は、電源電位ＶＤＤと接地電位ＧＮＤとの間に電気的に接続される抵抗ストリング部を逐次的に切換えるための選択指令ＳＥＬを生成する。この選択指令ＳＥＬに同期して、制御部２は、キー電圧値ＫＥＹ＿ＶＡＬに基づいてキー入力の有無を判定する。図６（ｂ）を参照して、キー電圧値ＫＥＹ＿ＶＡＬが電源電位ＶＤＤである場合には、制御部２は、いずれのキーも入力されていないと判定する。
【００４０】
そして、選択指令ＳＥＬが「Ｐ２」に切換えられた期間（期間ＤＰ）において、キー電圧値ＫＥＹ＿ＶＡＬが「０」（接地電位ＧＮＤ）である場合には、制御部２は、選択中の抵抗ストリング部ＳＴＲ２に割当てられるＫＥＹ７〜ＫＥＹ１２のうち、キー電圧値ＫＥＹ＿ＶＡＬが「０」に相当する「キーＫＥＹ７」の入力を検出する。
【００４１】
このように、制御部２は、アナログ／デジタル変換器４から受けたキー電圧値ＫＥＹ＿ＶＡＬと、選択部６へ与える選択指令ＳＥＬとに基づいて、入力されたキーを判定する。
【００４２】
なお、実際には、同一のキー入力であっても、電源電位ＶＤＤの電圧変動や温度条件などによって、アナログ／デジタル変換器４から出力されるキー電圧値ＫＥＹ＿ＶＡＬは変動する。そのため、各キーに応じたしきい範囲を予め設定しておき、当該しきい範囲内であるか否かによって、入力されるキーを判定することが望ましい。
【００４３】
上述の説明においては、電源電位ＶＤＤと接地電位ＧＮＤとの間に電気的に接続される抵抗ストリング部を所定周期で逐次的に切換える構成について例示したが、切換周期および切換順序は上述の例に限られない。すなわち、キー入力装置が組込まれる装置（たとえば、ディスク駆動装置など）の特性や入力されるキーの種類に応じて、必要な期間だけ特定の抵抗ストリング部を有効にしてもよい。
【００４４】
たとえば、図２に示すようなディスク駆動装置２００では、電源キー２０４が入力された後でなければ、再生操作キー群２０８の入力を受付ける必要はない。すなわち、ディスク駆動装置２００が電源投入状態でなければ、再生操作キー群２０８のキー入力を判定する必要はない。そこで、電源投入状態にかかわらず入力され得る、電源キー２０４およびディスクトレイ開閉キー２０６を抵抗ストリング部ＳＴＲ１に割当てるとともに、ディスク駆動装置２００の電源投入後でなければ入力され得ない、再生操作キー群２０８を抵抗ストリング部ＳＴＲ２に割当てる。そして、以下のような選択指令ＳＥＬを生成することで、入力されるキーをより効率的に判定できる。
【００４５】
図７は、ディスク駆動装置２００に向けられた選択指令ＳＥＬの時間波形を示す図である。
【００４６】
図７を参照して、ディスク駆動装置２００が電源投入状態でない場合には、制御部２は、選択指令ＳＥＬを「Ｐ１」に固定する。すなわち、制御部２は、電源キー２０４およびディスクトレイ開閉キー２０６を割当てられる抵抗ストリング部ＳＴＲ１のみを有効とする。そのため、抵抗ストリング部ＳＴＲ２に割当てられたキーについては、入力を判定されない。
【００４７】
その後、電源投入が行なわれ、ディスク駆動装置２００が電源投入状態になると、制御部２は、所定周期で選択指令ＳＥＬを「Ｐ１」または「Ｐ２」に交互に切換える。すると、抵抗ストリング部ＳＴＲ１およびＳＴＲ２が交互に有効になるので、それぞれに割当てられたキーの入力が判定される。
【００４８】
このように、制御部２は、複数のキーのうち入力され得るキーが割当てられた抵抗ストリング部のみが電源電位ＶＤＤと接地電位ＧＮＤとの間に電気的に接続されて有効となるように、選択指令ＳＥＬを出力する。このため、選択部６における不要な選択動作が抑制され、選択動作に係る消費電力の抑制も実現できる。
【００４９】
上述の説明においては、２つの抵抗ストリング部ＳＴＲ１およびＳＴＲ２で構成されるキー入力装置について例示したが、当然のことながら、３個以上の抵抗ストリング部で構成することもできる。
【００５０】
図８は、３個以上の抵抗ストリング部により構成されるキー入力装置１００＃の要部を示す図である。
【００５１】
図８を参照して、キー入力装置１００＃は、図３に示すキー入力装置１００において、キー電圧生成部８に代えてキー電圧生成部８＃を配置し、選択部６に代えて選択部６＃を配置したものと等価である。
【００５２】
キー電圧生成部８＃は、ｍ個の抵抗ストリング部ＳＴＲ１，ＳＴＲ１，・・・，ＳＴＲｍを含んで構成される。抵抗ストリング部ＳＴＲ１，ＳＴＲ１，・・・，ＳＴＲｍの各々は、上述した抵抗ストリング部ＳＴＲ１，ＳＴＲ２と同様であるので、詳細な説明は繰返さない。
【００５３】
選択部６＃は、制御部２からの選択指令ＳＥＬに応じて、ｍ個の抵抗ストリング部ＳＴＲ１，ＳＴＲ１，・・・，ＳＴＲｍの中から１つを電源電位ＶＤＤと接地電位との間に電気的に接続する。
【００５４】
選択される抵抗ストリング部の数が増加する点を除いて、キーの入力を判定する過程は上述したものと同様であるので、詳細な説明は繰返さない。
【００５５】
なお、上述においては、接続ノードＶＮがより高電位の電源電位ＶＤＤ側に配置され、キー電圧として検出される構成について説明したが、接続ノードが接地電位ＧＮＤ側に配置されるように構成してもよい。また、抵抗ストリング部を構成する各抵抗の抵抗値は、必ずしも同一である必要はなく、アナログ・デジタル変換器などの特性に応じて、最適な抵抗値を選択してもよい。
【００５６】
この発明の実施の形態によれば、入力されるキーに応じた抵抗値を生じるように構成された複数の抵抗ストリング部の一端がそれぞれ電源電位ＶＤＤと電気的に接続され（接続ノードＶＮ）、選択部６が制御部２からの選択指令ＳＥＬに応じて、複数の抵抗ストリング部のうち１つを接地電位ＧＮＤと電気的に接続する。これにより、選択指令ＳＥＬに応じた１つの抵抗ストリング部が電源電位ＶＤＤと接地電位ＧＮＤとの間に電気的に接続され、当該抵抗ストリング部に入力されたキーに応じた電圧値が接続ノードＶＮに生じる。したがって、制御部は、接続ノードＶＮに生じる電圧値と、選択部６へ与える選択指令ＳＥＬとに基づいて入力されたキーを判定できる。
【００５７】
このように、複数のキーを配置するために、多数の抵抗ストリング部を含んでキー入力装置が構成される場合であっても、アナログ／デジタル変換器は、抵抗ストリング部が共通に接続される接続ノードＶＮの電圧値を検出するための１個だけで済む。よって、回路規模の増大を抑制しつつ、配置されるキーの数を拡張可能なキー入力装置を実現できる。
【００５８】
また、この発明の実施の形態によれば、本発明に係るキー入力装置を内蔵する電気製品（たとえば、ディスク駆動装置）の電源投入状態などに応じて、入力され得るキー（たとえば、電源キーおよび再生操作キー群）が割当てられた抵抗ストリング部のみを電源電位ＶＤＤと接地電位ＧＮＤとの間に電気的に接続するように選択指令ＳＥＬが出力される。そのため、入力され得ないキーの入力判定が省略されるため、不必要なスイッチング動作を抑制できる。これにより、必要なキーの入力判定のみが実行されるため、判定を効率化でき、不要なスイッチング動作に伴う消費電力の増大を抑制できる。
【００５９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【００６０】
【図１】本発明の実施の形態に従うキー入力装置の概略構成図である。
【図２】本発明の実施の形態に従うキー入力装置を備えるディスク駆動装置の一例を示す外観図である。
【図３】本発明の実施の形態に従うキー入力装置の要部を示す図である。
【図４】入力されるキーと接続ノードに生じるキー電圧との関係を示す図である。
【図５】制御部から出力される選択指令の時間波形を示す図である。
【図６】入力されるキーの判定過程を説明するための図である。
【図７】ディスク駆動装置に向けられた選択指令の時間波形を示す図である。
【図８】３個以上の抵抗ストリング部により構成されるキー入力装置の要部を示す図である。
【符号の説明】
【００６１】
２  制御部、４  デジタル変換器、６  選択部、８  キー電圧生成部、１０  マイクロコンピュータ、１００  キー入力装置、２００  ディスク駆動装置、２０２  ディスクトレイ、２０４  電源キー、２０６  ディスクトレイ開閉キー、２０８  再生操作キー群、２０８ａ  巻戻しキー、２０８ｂ  再生キー、２０８ｃ  停止キー、２０８ｄ  早送りキー、ＧＮＤ  接地電位、ＫＥＹ＿ＶＡＬ  キー電圧値、ＫＥＹ１〜ＫＥＹ１２  キー、Ｒ  抵抗、Ｒｇ  制限抵抗、ＳＥＬ  選択指令、ＳＴＲ１，ＳＴＲ１，・・・，ＳＴＲｍ  抵抗ストリング部、ＳＷ１〜ＳＷ１２  キースイッチ、ＶＤＤ  電源電位、ＶＮ  接続ノード。
【図１】
2007323295.tif 000003
【図２】
2007323295.tif 000004
【図３】
2007323295.tif 000005
【図４】
2007323295.tif 000006
【図５】
2007323295.tif 000007
【図６】
2007323295.tif 000008
【図７】
2007323295.tif 000009
【図８】
2007323295.tif 000010